【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
被写体を撮像して映像信号を出力するカメラ部と、
当該カメラ部から出力される映像信号を圧縮符号化する符号化部と、
当該符号化部の符号化処理の開始及び終了を指示する指示手段
とを具備する撮像装置であって、
当該符号化部は、第１の符号化に続く符号化ポーズの後に第２の符号化を行う場合、当該第１の符号化の終了時における当該カメラ部のカメラステータス情報と、当該第２の符号化の開始時における当該カメラ部のカメラステータス情報との相違に基づいて決定される符号化パラメータを、当該第２の符号化の符号化初期パラメータとして設定する
ことを特徴とする撮像装置。
【請求項２】
当該符号化部は、当該第１の符号化の終了時における当該カメラ部のカメラステータス情報と、当該第２の符号化の開始時における当該カメラ部のカメラステータス情報との相違が所定範囲内のとき、当該第１の符号化の終了時の符号化パラメータを、当該第２の符号化の符号化初期パラメータに設定して、当該第２の符号化の符号化処理を開始することを特徴とする請求項１に記載の撮像装置。
【請求項３】
当該符号化部は、当該第１の符号化の終了時における当該カメラ部のカメラステータス情報と、当該第２の符号化の開始時における当該カメラ部のカメラステータス情報との相違が所定範囲内にないとき、当該第１の符号化の終了時の符号化パラメータに対して所定の比率を乗算して得られる符号化パラメータを当該第２の符号化の符号化初期パラメータに設定して、当該第２の符号化の符号化処理を開始することを特徴とする請求項１又は２に記載の撮像装置。
【請求項４】
被写体を撮像して映像信号を出力するカメラ部と、
当該カメラ部から出力される映像信号を圧縮符号化する符号化部と、
当該符号化部の符号化処理の開始及び終了を指示する指示手段と、
当該符号化部による第１の符号化に続く符号化ポーズの後の当該指示手段による第２の符号化の開始の指示に対し、当該第１の符号化の終了時における当該カメラ部のカメラステータス情報と、当該第２の符号化の開始時における当該カメラ部のカメラステータス情報とに従い、当該第２の符号化に対する当該符号化部の符号化初期パラメータを演算する符号化初期パラメータ演算部と、
当該第１の符号化の終了時における当該符号化部の符号化パラメータを記憶する符号化パラメータ保持部と、
当該第１の符号化の終了時における当該カメラ部のカメラステータス情報と、当該第２の符号化の開始時における当該カメラ部のカメラステータス情報との相違が所定範囲内の場合、当該符号化パラメータ保持部に記憶される符号化パラメータを当該第２の符号化の符号化初期パラメータに設定し、当該相違が所定範囲内にない場合、当該符号化初期パラメータ演算部により演算される符号化初期パラメータを当該第２の符号化の符号化初期パラメータに設定する符号化初期パラメータ設定手段
とを具備することを特徴とする撮像装置。
【請求項５】
被写体を撮像して映像信号を出力するカメラ部と、
当該カメラ部から出力される映像信号を圧縮符号化する符号化部と、
当該符号化部の符号化処理の開始及び終了を指示する指示手段と、
当該符号化部の符号化処理の終了から次の符号化処理の開始までの符号化ポーズの期間を計測する計測手段
とを具備する撮像装置であって、
当該符号化部は、第１の符号化に続く当該符号化ポーズの後に第２の符号化を行う場合、当該符号化ポーズの期間に従い決定される符号化パラメータを、当該第２の符号化の符号化初期パラメータとして設定する
ことを特徴とする撮像装置。
【請求項６】
当該符号化部は、当該符号化ポーズの期間が所定時間内のとき、当該第１の符号化の終了時の符号化パラメータを、当該第２の符号化の符号化初期パラメータに設定して、当該第２の符号化の符号化処理を開始することを特徴とする請求項５に記載の撮像装置。
【請求項７】
当該符号化部は、当該符号化ポーズの期間が所定時間内ではないとき、固定の符号化パラメータを当該第２の符号化の符号化初期パラメータに設定して、当該第２の符号化の符号化処理を開始することを特徴とする請求項５又は６に記載の撮像装置。
【請求項８】
被写体を撮像して映像信号を出力するカメラ部と、
当該カメラ部から出力される映像信号を圧縮符号化する符号化部と、
当該符号化部の符号化処理の開始及び終了を指示する指示手段と、
当該符号化部の第１の符号化の終了から次の第２の符号化の開始までの符号化ポーズの期間を計測する計測手段と、
当該第１の符号化の終了時における当該符号化部の符号化パラメータを記憶する符号化パラメータ保持部と、
当該符号化部の符号化初期パラメータの固定値を記憶する符号化初期パラメータ保持部と、
当該符号化ポーズの期間が所定時間内の場合、当該符号化パラメータ保持部に記憶される符号化パラメータを当該第２の符号化の符号化初期パラメータに設定し、当該符号化ポーズの期間が所定時間内ではない場合、当該符号化初期パラメータ保持部に記憶される固定値を当該第２の符号化の符号化初期パラメータに設定する符号化初期パラメータ設定手段
とを具備することを特徴とする撮像装置。
【請求項９】
被写体を撮像して映像信号を出力するカメラ部と、
当該カメラ部から出力される映像信号を圧縮符号化する符号化部と、
当該符号化部の符号化処理の開始及び終了を指示する指示手段と、
当該符号化部の符号化処理の終了から次の符号化処理の開始までの符号化ポーズの期間を計測する計測手段と、
当該符号化部による第１の符号化に続く当該符号化ポーズの後の当該指示手段による第２の符号化の開始の指示に対し、当該第１の符号化の終了時における当該カメラ部のカメラステータス情報と、当該第２の符号化の開始時における当該カメラ部のカメラステータス情報とに従い、当該第２の符号化に対する当該符号化部の符号化初期パラメータを演算する符号化初期パラメータ演算部と、
当該第１の符号化の終了時における当該符号化部の符号化パラメータを記憶する符号化パラメータ保持部と、
当該第１の符号化の終了時における当該カメラ部のカメラステータス情報と、当該第２の符号化の開始時における当該カメラ部のカメラステータス情報との相違が所定範囲内にあり、且つ、当該符号化ポーズの期間が所定時間内にある場合、当該符号化パラメータ保持部に記憶される符号化パラメータを当該第２の符号化の符号化初期パラメータに設定し、当該相違が所定範囲内にないか、又は、当該符号化ポーズの期間が所定時間内にない場合、当該符号化初期パラメータ演算部により演算される符号化初期パラメータを当該第２の符号化の符号化初期パラメータに設定する符号化初期パラメータ設定手段
とを具備することを特徴とする撮像装置。
【請求項１０】
当該カメラステータス情報は、合焦レベル及び合焦範囲を示すフォーカス情報を含むことを特徴とする請求項１乃至４の何れか１項に記載の撮像装置。
【請求項１１】
当該第２の符号化の符号化初期パラメータは、目標符号量、ビットレート、及び、量子化スケールコードのうちの少なくとも１つを含むことを特徴とする請求項１乃至１０の何れか１項に記載の撮像装置。
【請求項１２】
当該符号化部は、ＭＰＥＧ２による圧縮符号化手段を含むことを特徴とする請求項１乃至１１の何れか１項に記載の撮像装置。
【手続補正２】
【補正対象書類名】明細書
【補正対象項目名】００１７
【補正方法】変更
【補正の内容】
【００１７】
上記課題を解決するために、本発明に係る撮像装置は、被写体を撮像して映像信号を出力するカメラ部と、当該カメラ部から出力される映像信号を圧縮符号化する符号化部と、当該符号化部の符号化処理の開始及び終了を指示する指示手段とを具備する撮像装置であって、当該符号化部は、第１の符号化に続く符号化ポーズの後に第２の符号化を行う場合、当該第１の符号化の終了時における当該カメラ部のカメラステータス情報と、当該第２の符号化の開始時における当該カメラ部のカメラステータス情報との相違に基づいて決定される符号化パラメータを、当該第２の符号化の符号化初期パラメータとして設定することを特徴とする。
本発明に係る撮像装置は、被写体を撮像して映像信号を出力するカメラ部と、当該カメラ部から出力される映像信号を圧縮符号化する符号化部と、当該符号化部の符号化処理の開始及び終了を指示する指示手段と、当該符号化部による第１の符号化に続く符号化ポーズの後の当該指示手段による第２の符号化の開始の指示に対し、当該第１の符号化の終了時における当該カメラ部のカメラステータス情報と、当該第２の符号化の開始時における当該カメラ部のカメラステータス情報とに従い、当該第２の符号化に対する当該符号化部の符号化初期パラメータを演算する符号化初期パラメータ演算部と、当該第１の符号化の終了時における当該符号化部の符号化パラメータを記憶する符号化パラメータ保持部と、当該第１の符号化の終了時における当該カメラ部のカメラステータス情報と、当該第２の符号化の開始時における当該カメラ部のカメラステータス情報との相違が所定範囲内の場合、当該符号化パラメータ保持部に記憶される符号化パラメータを当該第２の符号化の符号化初期パラメータに設定し、当該相違が所定範囲内にない場合、当該符号化初期パラメータ演算部により演算される符号化初期パラメータを当該第２の符号化の符号化初期パラメータに設定する符号化初期パラメータ設定手段とを具備することを特徴とする。
本発明に係る撮像装置は、被写体を撮像して映像信号を出力するカメラ部と、当該カメラ部から出力される映像信号を圧縮符号化する符号化部と、当該符号化部の符号化処理の開始及び終了を指示する指示手段と、当該符号化部の符号化処理の終了から次の符号化処理の開始までの符号化ポーズの期間を計測する計測手段とを具備する撮像装置であって、当該符号化部は、第１の符号化に続く当該符号化ポーズの後に第２の符号化を行う場合、当該符号化ポーズの期間に従い決定される符号化パラメータを、当該第２の符号化の符号化初期パラメータとして設定することを特徴とする。
本発明に係る撮像装置は、被写体を撮像して映像信号を出力するカメラ部と、当該カメラ部から出力される映像信号を圧縮符号化する符号化部と、当該符号化部の符号化処理の開始及び終了を指示する指示手段と、当該符号化部の第１の符号化の終了から次の第２の符号化の開始までの符号化ポーズの期間を計測する計測手段と、当該第１の符号化の終了時における当該符号化部の符号化パラメータを記憶する符号化パラメータ保持部と、当該符号化部の符号化初期パラメータの固定値を記憶する符号化初期パラメータ保持部と、当該符号化ポーズの期間が所定時間内の場合、当該符号化パラメータ保持部に記憶される符号化パラメータを当該第２の符号化の符号化初期パラメータに設定し、当該符号化ポーズの期間が所定時間内ではない場合、当該符号化初期パラメータ保持部に記憶される固定値を当該第２の符号化の符号化初期パラメータに設定する符号化初期パラメータ設定手段とを具備することを特徴とする。
本発明に係る撮像装置は、被写体を撮像して映像信号を出力するカメラ部と、当該カメラ部から出力される映像信号を圧縮符号化する符号化部と、当該符号化部の符号化処理の開始及び終了を指示する指示手段と、当該符号化部の符号化処理の終了から次の符号化処理の開始までの符号化ポーズの期間を計測する計測手段と、当該符号化部による第１の符号化に続く当該符号化ポーズの後の当該指示手段による第２の符号化の開始の指示に対し、当該第１の符号化の終了時における当該カメラ部のカメラステータス情報と、当該第２の符号化の開始時における当該カメラ部のカメラステータス情報とに従い、当該第２の符号化に対する当該符号化部の符号化初期パラメータを演算する符号化初期パラメータ演算部と、当該第１の符号化の終了時における当該符号化部の符号化パラメータを記憶する符号化パラメータ保持部と、当該第１の符号化の終了時における当該カメラ部のカメラステータス情報と、当該第２の符号化の開始時における当該カメラ部のカメラステータス情報との相違が所定範囲内にあり、且つ、当該符号化ポーズの期間が所定時間内にある場合、当該符号化パラメータ保持部に記憶される符号化パラメータを当該第２の符号化の符号化初期パラメータに設定し、当該相違が所定範囲内にないか、又は、当該符号化ポーズの期間が所定時間内にない場合、当該符号化初期パラメータ演算部により演算される符号化初期パラメータを当該第２の符号化の符号化初期パラメータに設定する符号化初期パラメータ設定手段とを具備することを特徴とする。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２９
【補正方法】変更
【補正の内容】
【００２９】
符号化初期パラメータ演算部１４は、カメラ部１０からのカメラステータス情報から符号化部１２の初期パラメータを演算し、演算結果を符号化初期パラメータ保持部１６に格納する。演算結果を保持する符号化初期パラメータ保持部１６は、例えば、ＲＡＭからなる。
【手続補正９】
【補正対象書類名】明細書
【補正対象項目名】００４７
【補正方法】変更
【補正の内容】
【００４７】
図３（ｂ）はカメラ部１０がアクティブ状態かスリープ状態かを示し、図３（ｃ）は、符号化部１２がアクティブ状態かスリープ状態かを示す。カメラ部１０は、アクティブ状態のとき、被写体の映像信号を符号化部１２に出力し、カメラステータス情報を符号化初期パラメータ演算部１４に出力する。スリープ状態のとき、カメラ部１０は、映像信号もカメラステータス信号も出力しない。符号化部１２は、アクティブ状態では、カメラ部１０からの映像信号の符号化処理を実行し、得られた圧縮データを出力している。カメラ部１０は、スリープ状態では、符号化処理を実行せず、好ましくは電源オフ状態にある。
【手続補正１０】
【補正対象書類名】明細書
【補正対象項目名】００６９
【補正方法】変更
【補正の内容】
【００６９】
直前の記録ポーズ時間が所定期間Ｔｔｈ以上であれば（Ｓ３２）、被写体か撮影状況が異なると仮定できる。このとき、制御部２２は、スイッチ２０を制御して、保持部１８に保持される符号化初期パラメータを符号化部１２にセットさせる（Ｓ２５）。これにより、符号化部１２は、記録ポーズ前の記録とは無関係な目標符号量等を使って、カメラ部１０からの映像信号を圧縮符号化する。